(57)【要約】本発明の建築部材システムは、支柱構造材７０、保持構造材１６、枠付き平面部品２０，２２を含む。この場合に保持構造材は、断面が長方形の四面体の中空構造材であり、保持部品５４を収容するための収容開口部５６を持つ。この内の保持部品５４によって、枠付き平面部品２０，２２を保持構造材に固定できる。最良の実施形態では、それぞれの支柱構造材が、複数の構造帯材によって形成され、断面がU字型の収容部８２と、断面が長方形の中空室８０を少なくとも一つずつ持つ。この場合に、断面が基本的にU字型の収容部４４を有する中間構造材８４が備えられる。中間構造材８４のこの収容部４４は、保持構造材１６を収容するために形成される。【選択図】図２２
2007517148.tif 000002
【特許請求の範囲】
【請求項１】
保持構造材、保持部品５４および枠付き平面部品２０，２２からなり、前記保持構造材が長方形断面を備える四面体の中空構造材１６であり、前記保持部品を収容するための収容開口部５６を保持構造材１６が有し、前記枠付き平面部品２０，２２が保持部品５４によって、保持構造材に固定されることを特徴とする、カーテンウォール式ファサード、ファサード上張、採光屋根、冬園、防音壁、見本市建造物、簡易車庫のための、支柱構造材１０；７０、保持構造材１６、枠付き平面部品２０，２２を含む建築部材システム。
【請求項２】
中間構造材８４、支柱構造材、保持構造材、保持部品５４および枠付き平面部品２０，２２からなり、前記中間構造材８４がU字型断面の収容部４４を有し、前記支持構造材に中間構造材８４を収容するための、U字型断面の収容部８２が形成され、前記保持構造材が長方形断面を持つ四面体の中空構造材であり、この場合に保持構造材１６が保持部品５４を収容するための収容開口部５６を持ち、前記枠付き平面部品２０，２２が保持部品５４により保持構造材に固定され、中間構造材のU字型断面の収容部が、保持構造材16を収容するために形成されることを特徴とする、カーテンウォール式ファサード、ファサード上張、採光屋根、冬園、防音壁、見本市建造物、簡易車庫のための、この場合に多数の構造帯材によって形成される各支柱構造材が、U字型断面の収容部８２と長方形断面の中空室８０を持つ、特に好ましくは請求項１記載の建築部材システム。
【請求項３】
中間構造材８４，８４’が、保持構造材１６を固定するためのねじ１８を収容するために、保持部分９４，９４’を持つことを特徴とする、請求項２記載の建築部材システム。
【請求項４】
中間構造材８４’の保持部分９４’が、支柱構造材７０’の構造帯材７４’で中間構造材８４’を支持するための支持部分として形成されることを特徴とする、請求項３記載の建築部材システム。
【請求項５】
中空構造材８４が中空室構造材として形成されることを特徴とする、請求項２から４のいずれかに記載の建築部材システム。
【請求項６】
保持部品５４が独立した鉤であることを特徴とする、請求項１から５のいずれかに記載の建築部材システム。
【請求項７】
保持構造材の収容開口部５６に装入される、負荷分散止め具６４を備えることを特徴とする、請求項１から６のいずれかに記載の建築部材システム。
【請求項８】
枠付き平面部品２０，２２のそれぞれの有する枠が、外部枠構造材３６、中央枠構造材３８、内部枠構造材４０を持つことを特徴とする、請求項１から７のいずれかに記載の建築部材システム。
【請求項９】
一本以上のスタンドレール１３８、支柱接続部品１３６、数個の連結部品１４４および数個の底部部品１４８を含む多部材的な土台が、支柱構造材７０を据え付けるために備えられることを特徴とする、請求項１から８のいずれかに記載の建築部材システム。
【請求項１０】
二つの中空室構造材２００，２０２および連結部品２０４からなり、前記中空室構造材２００，２０２が特に好ましくは支柱構造材７０，７０’と同様に形成され、前記連結部品２０４が中空室構造材を直角に連結するために働き、この場合に各連結部品が、連結される一方の中空構造材２０２の中空室に挿入するための挿入部分、連結される第二中空構造材２００の開口部２２６に掛けるための引掛け部分、および引掛け部分を開口部に掛けた後に、第二中空構造材２００の開口部２２６内で連結部品をロックするための、スライド式ロック部品２４０を持つことを特徴とする、請求項１から９のいずれかに記載の建築部材システム。
【請求項１１】
保持構造材、保持部品５４および枠付き平面部品２０，２２からなり、前記保持構造材が長方形断面を備える四面体の中空構造材１６として形成され、前記保持部品５４を収容するための収容開口部５６が保持構造材１６に備えられ、前記枠付き平面部品２０，２２が保持部品５４によって保持構造材に固定されることを特徴とする、支柱構造材１０；７０用の保持構造材１６、保持構造材、枠付き平面部品２０，２２を含む、請求項１から１０のいずれかに記載の建築部材システム。
【請求項１２】
プラスチック、特に好ましくはグラスファイバ補強される硬質ポリ塩化ビニル（PVC）から製造されることを特徴とする、請求項１１に記載の保持構造材１６。
【請求項１３】
断面が基本的にU字型の収容部８２を有し、前記収容部８２が保持構造材１６を収容するために形成されることを特徴とする、支柱構造材７０、保持構造材１６、枠付き平面部品２０，２２用の中間構造材８４，８４’を含む、ファサード、ファサード上張、採光屋根、冬園、防音壁、見本市建造物、簡易車庫のための、特に好ましくは請求項１から１０のいずれかに記載の建築部材システム。
【請求項１４】
保持部分９４’が、支柱構造材７０’の構造帯材７４’において中間部品８４’を支持するための支持部分として形成されることを特徴とする、請求項１３に記載の中間構造材８４，８４’。
【請求項１５】
保持部分９４’が、支柱構造材７０’の構造帯材７４’において中間構造材８４’を支持するための支持部分として形成されることを特徴とする、請求項１４に記載の中間構造材８４’。
【請求項１６】
中空室構造材として形成されることを特徴とする、請求項１３から１５のいずれかに記載の中間構造材８４。
【請求項１７】
プラスチック、特に好ましくはグラスファイバ補強される硬質PVCから製造されることを特徴とする、請求項１３から１６のいずれかに記載の中間構造材８４。
【請求項１８】
特殊鋼鉤として形成され、枠付き平面部品２０，２２に掛けるための収容部５８と、保持構造材に自身を掛けるための固定部分６０を持ち、この場合に固定部分が斜面を持ち、負荷を受けると鉤が保持構造材に向けて引張られることを特徴とする、請求項１から１０のいずれかに記載の建築部材システムおよび請求項１１または請求項１２に記載の保持構造材のための、保持部品５４。
【請求項１９】
外部枠構造材３６、中央枠構造材３８、内部枠構造材４０を持つ枠および平面部品からなり、前記外部枠構造材がアルミニウムから製造され、前記中央枠構造材および前記内部枠構造材がプラスチック、特に好ましくはグラスファイバ補強されるプラスチックから製造され、この場合に外部枠構造材と中央枠構造材は密着式に連結され、内部枠構造材と中央枠構造材は掛け止めされ、それぞれ二つの中央枠構造材あるいはそれぞれ二つの外部枠構造材がコーナ部材１８０によって相互に連結され、前記平面部品が特に好ましくは二重板ガラスとして形成されて、内部枠構造材と外部枠構造材の間に挟み込まれることを特徴とする、カーテンウォール式ファサード、ファサード上張、採光屋根、冬園、防音壁、見本市建造物、簡易車庫のための、特に好ましくは請求項１から１０のいずれかに記載の建築部材システムのための、枠付き平面部品２０，２２。
【請求項２０】
中央枠構造材と密着式に連結するために鳩尾形の溝か、鳩尾形の実（さね）を持つことを特徴とする、請求項１９に記載の枠付き平面部品のための、外部枠構造材３６。
【請求項２１】
自身と同種の外部枠構造材と連結するためのコーナ部材１８０を収容するために、中空室４６’を持つことを特徴とする、請求項２０に記載の外部枠構造材３６’。
【請求項２２】
外部枠構造材３６と密着式に連結するための鳩尾形の溝か、鳩尾形の実４８を持つことを特徴とする、枠付き平面部品のための、請求項１９に記載の中央枠構造材３８。
【請求項２３】
ガスケット１４を保持するために、鳩尾形の溝を一本以上、あるいは鳩尾形の実４８を一つ以上持つことを特徴とする、請求項２２に記載の中央枠構造材３８。
【請求項２４】
内部枠構造材の掛止め部分に対して少なくとも部分的に相補的な掛止め部分を持ち、自身の掛止め部分と内部枠構造材の掛止め部分とが掛け止めされることを特徴とする、請求項２２あるいは請求項２３に記載の中央枠構造材。
【請求項２５】
自身と同種の中央枠構造材３８と連結するためのコーナ部材１８０を収容するために、中空室４６を持つことを特徴とする、請求項２２から２４のいずれかに記載の中央枠構造材３８。
【請求項２６】
プラスチック、特に好ましくはグラスファイバ補強される硬質PVCから製造されることを特徴とする、請求項２２から２５のいずれかに記載の中央枠構造材。
【請求項２７】
中央枠構造材の掛止め部分に対して少なくとも部分的に相補的な掛止め部分を持ち、自身の掛止め部分と中央枠構造材の掛止め部分とが掛け止めされることを特徴とする、請求項１９に記載の枠付き平面部品のための内部枠構造材４０。
【請求項２８】
プラスチック、特に好ましくはグラスファイバ補強される硬質PVCから製造されることを特徴とする、請求項２７に記載の内部枠構造材。
【請求項２９】
数個の底部部品１４８、数個の連結部品１４４、スタンドレール１３８および支柱接続部品１３６からなり、前記底部部品がねじによって直接基礎上で固定され、前記連結部品がねじ１４６とプレート１４２を含み、規定通りの取付け状態においてねじがプレートを貫く形でねじ込まれ、前記スタンドレール内でプレートが、底部部品内でねじがガイドされ、あるいは逆の組合せでそれぞれガイドされ、ねじを回転させることによりスタンドレールの高さ調節が達成でき、前記支柱接続部品が支柱構造材とスタンドレールを連結するために形成されることを特徴とする、支柱構造材７０、保持構造材１６、枠付き平面部品２０，２２を含む、カーテンウォール式ファサード、ファサード上張、採光屋根、冬園、防音壁、見本市建造物、簡易車庫のための、特に好ましくは請求項１から１０のいずれかに記載の建築部材システム。
【請求項３０】
ガイド１２２を持ち、このガイドの中に変位できる形でボルトが保持されることを特徴とする、支柱構造材１０；７０、保持構造材１６、枠付き平面部品２０，２２を含む、カーテンウォール式ファサード、ファサード上張、採光屋根、冬園、防音壁、見本市建造物、簡易車庫のための、特に好ましくは請求項１から６のいずれかに記載の横木構造材１１０。
【請求項３１】
挿入部分、引掛け部品およびスライド式のロック部品２４０からなり、前記挿入部分が、相互に連結される中空室構造材２０２の一方の中空室２１４に挿入するために働き、前記引掛け部品が、相互に連結される中空室構造材の、第二中空室構造材の開口部２２６に掛けるために働き、前記ロック部品が、引掛け部品を第二中空室構造材内の開口部２２６に掛けた後に、この開口部２２６内で連結部品をロックするために働くことを特徴とする、二つの中空室構造材２００，２０２を直角に連結するための、特に好ましくは請求項１から１０のいずれかに記載の建築部材システムのための、連結部品２０４。
【請求項３２】
外部枠構造材、中央枠構造材、金属製のコーナ部材および平面部品について、前記外部枠構造材と前記中央枠構造材のそれぞれに鳩尾形の溝か実（さね）が割り当てられ、この場合に中央枠構造材がプラスチックによって構成され、外部枠構造材がアルミニウムによって構成され、両者がローラ加圧によって相互に連結され、前記コーナ部材が二つの中央枠構造あるいは外部枠構造のいずれかに差し込まれ、各枠構造材が差し込まれたコーナ部材と共に加圧されて枠を形成し、前記平面部品が特に好ましくは二枚の板ガラスからなり、形成される枠に周囲を囲まれ、場合によってはガスケットやスペーサといった他の部品と共に封入され、内部枠構造材が中央枠構造材と掛止めされることを特徴とする、カーテンウォール式ファサード、ファサード上張、採光屋根、冬園、防音壁、見本市建造物、簡易車庫のための枠付き平面部品を製造するための、特に好ましくは請求項１から６のいずれかに記載の建築部材システムのために、枠付き平面部品を製造するための方法。
【請求項３３】
コーナ部材と中央枠構造材について、前記コーナ部材が前記中央枠構造材に差し込まれた後に、両者共に加圧する前に、コーナ部材を差し込まれた中央枠構造材の領域が加熱されることを特徴とし、この場合にコーナ部品が二つの中央枠構造材のそれぞれに差し込まれる、請求項３２に記載の方法。
【請求項３４】
請求項１から３１のいずれかに記載の建築部材システム、あるいは建築部材を使用して建造されることを特徴とする、カーテンウォール式ファサード。
【請求項３５】
請求項１から３１のいずれか一項記載の建築部材システム、あるいは建築部材を使用して建造されることを特徴とする、ファサード上張。
【請求項３６】
請求項１から３１のいずれかに記載の建築部材システム、あるいは建築部材を使用して建造されることを特徴とする、採光屋根。
【請求項３７】
請求項１から３１のいずれかに記載の建築部材システム、あるいは建築部材を使用して建造されることを特徴とする、冬園。
【請求項３８】
請求項１から３１のいずれかに記載の建築部材システム、あるいは建築部材を使用して建造されることを特徴とする、防音壁。
【請求項３９】
請求項１から３１のいずれかに記載の建築部材システム、あるいは建築部材を使用して建造されることを特徴とする、見本市建造物。
【請求項４０】
請求項１から３１のいずれかに記載の建築部材システム、あるいは建築部材を使用して建造されることを特徴とする、簡易車庫。
【発明の詳細な説明】
【技術分野】
【０００１】
本発明は、カーテンウォール式ファサード、ファサード上張、採光屋根、冬園、防音壁、見本市建造物、簡易車庫、あるいはこれに類する建造物のための建築部材システム、およびこの種のシステムに含まれる多種の建築部材、ならびにこの種のシステムや構造物のための、枠付き平面部品の製造方法に関するものである。特に本発明は、カーテンウォール式ファサード、ファサード上張、採光屋根、冬園、防音壁、見本市建造物、簡易車庫、あるいはこれに類する建造物のための支柱構造材、保持構造材、中間構造材、保持部品、横木構造材、多部材的な土台、連結部品、外部枠構造材、中央枠構造材、内部枠構造材、枠付き平面部品、およびこれらの建築部材の内、少なくとも数点からなる建築部材システム、またこれらの建築部材の内、少なくとも数点を使用して建造されるファサード、ファサード上張、採光屋根、冬園、防音壁、見本市建造物、簡易車庫に関するものである。
【背景技術】
【０００２】
本発明で問題とする種類の建築部材と建築部材システムにより、板ガラス等の枠付き平面部品を、特に地震に強い形で、浮動式に支柱構造材に懸架することが可能となる。またファサード、ファサード上張、採光屋根、冬園、防音壁、見本市建造物、簡易車庫、あるいはこれに類する建造物について、特に容易に組立てられる構造が実現される。
【０００３】
この種の建築部材と建築部材システムを用いることにより、支柱構造材を固定できる鉄鋼製の基礎骨組み等があれば、ホールやその他の建造物を、迅速かつ低いコストによって、また適切な外観で建造することが可能となる。この枠付き平面部品は、ファサードに上張りされるのではなく、自身がファサードを形成する。この場合に、枠付き平面部品は浮動式に懸架されるため、これに対応する形で形成されたファサードは、「カーテンウォール式ファサード」と称される。
【０００４】
この種の構造物では、室内側、つまり平面部品によって形成される空間の内側から、支柱構造材が見える。このため構造物には、外観を含めた特別な構造が要求される。
【０００５】
本発明で問題とする種類の建築部材システムと、そのシステムの建築部材は、WO02/057559A1によって公知であり、そこでは個々の利用可能性についても包括的に記述されている。当該件の建築部材システムは、いわゆる「二重熱分離」によって、既に非常に良好な断熱数値を有し、また実用面での真価も実証されている。この際に、当該件で記述されている建築部材システムと、これに対応する建築部材は、EP0447508B1によって公知の建築部材システムを、さらに発展させたものとなっている。当該件においては、ファサードに上張りするための枠付き平面部品が、支柱構造材に浮動式に懸架される。この場合、平面部品の枠は、二部材からなる構造材枠によって達成される。
【０００６】
DE3626194A1によって公知の建築部材システムでは、室内側から見える枠部材が非常に幅広く、さらに枠部材は、目立つ隙間によって、本来的な支柱構造材から分離される。平行に配置される二枚の板ガラスを縁取る枠構造材は、製造技術上、製造が非常に困難であり、建築部材システムのコストを上昇させてしまう。当該件の建築部材システムにおいては、隣合う形か、上下に配置される二枚の枠付き平面部品の間に、ガスケットを挟み込まなくてはならない。しかしながらこのガスケットは、通常アルミニウムから製造される枠構造材の熱膨張によって、強い応力に晒される。つまりガスケットは持続的に圧縮され、また引伸ばされるため、劣化が早まり、またいつかは脱落してしまう事態に至るのである。
【０００７】
DE19526671によって、いわゆる支柱・横木構造を形成するための、建築部材システムが公知となっている。この建築部材システムにおいては、いわゆる横木によって平面部品が、常に水平方向において支持され、浮動式に懸架されることはない。このため、この種の建築部材システムは、本発明で問題とするシステムに比肩するものではない。DE19526671A1によって公知のシステムの組立ては、本発明のシステムと比較して、負荷の高いものである。これは、当該件で意図される平面部品、つまり相互に対して並行に配置される二枚の板ガラスに、あらかじめ枠が備えられないため、組立て時にこれを容易に掛けることができず、現場において支柱と横木の間に挟み込まなくてはならないためである。
【０００８】
これに加えて古典的な支柱・横木構造では、規定通りの構築状態において、通常垂直に延びる支柱だけでなく、支柱から横方向に分岐し、通常水平方向に延びる横木（横桟と呼ばれることもある）も、ファサードの外側から完全に見えてしまう。これに対して、本発明で問題とする種類の建築部材システムでは、支柱部品が枠付き平面部品によって実質的に覆われ、また横木は、必要に応じて完全に取り除くことができる。完成したファサードにおいて、枠構造は視覚的にほとんど知覚されないので、この形成はガラスによってファサードを上張りする、いわゆる「構造用グレージング」において利点となる。
【０００９】
DE29915574U1では、枠付きの平面部品がカーテンウォール式に配置されず、対応する支柱構造材にねじ固定される、建築部材システムが提案されている。当該のシステムは、外観上にも、技術上にも欠点がある。とりわけ、枠付き平面部品と支柱構造材の間に接続される構造材と、支柱構造材の間の移行部が、室内側から美しくない形で目に付くのである。その上、当該のシステムでは、平面部品の枠形成にも問題がないわけでない。つまり、通常アルミニウムによって押出成形される枠構造材が、平面部品を直接把持するため、アルミニウム等がガラスの上に乗ってしまうのである。
【００１０】
DE3540385により、平面部品の室内側に保持構造材が接着されるタイプの、建築部材システムが公知となっている。しかしながらこの内の保持構造材は、二重グレージングを構成する二枚の平面部品を囲むものではない。とりわけ、平面部品を屋外で迅速に組立てなければならない場合、枠のない板ガラスの組み立てと取り付けは並大抵の作業ではない。また組立て作業員にとっては、負傷の危険性が大きい。これに加えて枠のない平面部品は、周縁領域が損傷しやすくなってしまう。
【００１１】
あらかじめ枠を備える平面部品において、平面部品の枠形成は通常、二部材からなる構造材枠によって達成される。この公知の二部材的な構造材枠においては、縁取られる二枚の板ガラスを封入した後に、内部枠構造材と外部枠構造材が、あるいはこれらの構造材によって形成される枠が、相互に掛止めされる。これにより、枠で囲まれる部品が、枠構造材同士の間で挟み込まれるのである。
【００１２】
二部材的な構造材枠では、建造物に平面部品を規定通りに取付けた状態において、平面部品の建造物外側の面を囲む枠構造材は、「外部枠構造材」と称される。この一方で、平面部品の建造物内部側の面を囲む枠構造材は、「内部枠構造材」と称される。しかしながらこの点については、強調しておかねばならない事柄がある。それはつまり、見本市建造物内や閉鎖された空間での分離壁を建造する場合等、本発明の建築部材システムの多くの使用目的においては、「内」あるいは「外」といった区分が、容易には適切な表現となりえない、という事柄である。しかしいずれにしても、規定通りの取付け状態において、枠付き平面部品の、支柱構造材とは反対側を囲む枠構造材が「外側の」枠構造材と称され、この一方で枠付き平面部品の、支柱構造材側の面を囲む枠構造材が「内側の」枠構造材と称されている、と言える。この方法によって「内」と「外」を定義するならば、類似の方法によって、本発明で記述される建築部材の「室内側」についても、つまり内側に配置されるか内側から見える端部や面についても定義することができる。
【００１３】
本発明で問題とする種類の建築部材システムでは、一般的に「枠構造材」と称される構造材は、板ガラス等の一般的に平面部品と称される部品の周囲を囲んだり、平面部品を保持するために働くものである。この場合の平面部品の枠形成および保持は、ファサード上張、採光屋根、冬園、防音壁、見本市建造物、簡易車庫、あるいはこれに類する建造物を形成する上で、適切な構造物に平面部品を固定するために行われる。特にこの枠構造材は、俯瞰で見ると長方形の平面部品、とりわけ二枚の板ガラスが、相互に対して並行にはめ込まれる種類の平面部品を製造するために働くものである。
【００１４】
この種の枠構造材は通常、特に「構造用グレージング」において、板ガラスを枠で保持するために働くものではあるが、その都度の上張りに適する他の様々な平面部品を、囲んで保持することもできる。ここで言うその他の平面部品とは、アクリル板ガラスやその他のプラスチックプレート、石材プレート、大理石プレート、木材プレート、金属プレート等である。
【００１５】
上述のWO02/057559A1によって公知の建築部材システムと、その建築部材は、この種の建築部材の使用に関連して生じる多様な問題を解決するものである。つまり、当該件で記述される枠構造材等は、二重機能を満たすのである。これは当該の枠構造材が、枠付き平面部品の、支柱構造材とは反対側の面を囲むだけではなく、これと同時に支柱構造材に懸架するためにも働くことを意味している。ただしこの形態では、外部枠構造材を二種類備えなくてはならない。つまり鉤等の部品を有し、枠付き平面部品を支柱構造材に固定するために働き、規定通りの取付け状態において、多くの場合垂直方向に延びる枠構造材と、鉤等に対応する部品を持たず、規定通りの取付け状態において、通常水平方向に延びる枠構造材とを、備えなくてはならないのだ。
【００１６】
現代の建築発展により、木材等の伝統的な建築材料を、アルミニウムと特殊鋼からなる建築部材と組み合わせたい、という願望が広がってきている。これは例えば木製の支柱構造材を使用し、これにWO02/057559A1によって公知の、枠付きの平面部品を固定したい、というような願望である。しかし、前述のWO02/057559A1で記述される建築部材システムは、特殊に形成される金属製の支柱構造材を提供するだけで、当該の保持構造材は、木製の支柱構造材に固定するためには適さないのである。
【００１７】
さらに環境側面から言えば、公知の建築部材システムの絶縁作用を改善することは、重要かつ公共の利益に寄与する進歩である。
【発明の開示】
【発明が解決しようとする課題】
【００１８】
本発明は、カーテンウォール式ファサード、ファサード上張、採光屋根、冬園、防音壁、見本市建造物、簡易車庫、あるいはこれに類する建造物のために、建築部材システムと、これに含まれる枠付き平面部品等の建築部材を提供することを課題とする。本発明の建築部材システムとその建築部材は、上述の諸問題を解決し、美的な品質を損なうことなく、公知の建築部材システムおよび建築部材を、特に熱絶縁作用について改善するものである。この場合に、枠付き平面部品のために、有利な製造方法を提供することも課題とする。
【課題を解決するための手段】
【００１９】
この課題は、請求項１あるいは請求項２の特徴を備える建築部材システムによって解決される。独立形式の諸請求項は、この種のシステムの様々な建築部材に関わるものである。またそれぞれの従属形式請求項は、それぞれの部品の、有利な形態に関わるものである。独立形式の請求項３２は、枠付きの平面部品を製造するための方法に関わるものである。独立形式の請求項３４から４０は、本発明の建築部材を使用して建造されるファサード、ファサード上張、採光屋根、冬園、防音壁、見本市建造物、簡易車庫に関わるものである。
【発明を実施するための最良の形態】
【００２０】
以下では本発明の建築部材システムの建築部材について、様々な実施例を図と関連付けて、全く例示的に、制限を設けずに記述する。この場合に、図１から３、図４から６、図８から１２、図１３から１４、図１５から２１をそれぞれグループとして、並列に扱う。図２２は、図４から６と直接に関連づけて扱う。
【実施例１】
【００２１】
図１は、規定通りに取付けた状態において垂直方向に直立する、本発明の建築部材システムの支柱構造材１０と並んで、その他の建築部材の断面図を示す説明図である。この実施例において、支柱構造材１０は中実なものとして形成される。
【００２２】
図示される支柱構造材１０は、木材等から製造されるもので、断面がU字型の収容経路１２を有する。収容経路１２の中には、ガスケット１４と保持構造材１６が配置され、これらは数本のねじ１８によって固定される。ねじ１８は、図１および図３では、一本だけしか図示されていない。
【００２３】
ガスケット１４の断面は帽子型である。ガスケット１４は、枠付き平面部品２０，２２側の面に、それぞれ数個のシールリップ２４を持つ。整然さを保つために、これらのシールリップ２４の内、数個のものにしか部材番号が付されていない。
【００２４】
この実施例において枠付き平面部品２０，２２は、外側の板ガラス２６；２８と内側の板ガラス３０；３２を備える、二重板ガラスとして形成される。発明の説明の導入部で既に述べた通り、ここで言う内側の板ガラスとは、支柱構造材に近い側の板ガラスを指す。この「内」、「外」という概念の使用法は、枠構造材にも適用される。またこの概念の使用法は、他の箇所でも使用される。これは、本発明の建築部材システムの多くの使用方法において、外側の建築部材が、つまり外部枠構造材や外側の板ガラスが、完成した取付け状態において、実際に建造物や構造物の外面を形成するためである。
【００２５】
外側の板ガラス２６，２８と、これらに割り当てられる内側の板ガラス３０；３２の間には、公知の方法でスペーサ３４が配置される。これらの板ガラスは、枠によって周囲を囲まれる。この内の枠は、外部枠構造材３６、中央枠構造材３８、内部枠構造材４０によって形成される。
【００２６】
平面部品２０，２２同士の間には、ガスケット４２が配置される。ガスケット４２は、図示される実施例において、図中右側の、中央枠構造材３８に固定される。このため本実施例においては、中央枠構造材３８に、二本の鳩尾形の溝４４が設けられる。整然さを保つために二本の溝４４の内、一本だけに、つまり図中左側の枠構造材の、上方の鳩尾形溝だけに、部材番号が付されている。
【００２７】
ガスケット４２は、溝４４のために、少なくとも部分的に相補的な実（さね）を持つ。これによりガスケットは、実を対応する溝に押し込むか、挿入させることによって、確実でありながら交換可能な形で、容易に中央枠構造材に固定することができる。
【００２８】
中央枠構造材３８は、少なくとも終端領域に、しかし好ましくは連続的に、断面が中空となる中空室４６を持つ。整然さを保つために、これらの中空室４６の内、中央枠構造材の、図１で右側に示される中空室だけに部材番号が付されている。この中空室は、ここには図示されていないが、後に図１３および図１４との関連で記述される、コーナ部材を収容するために働く。
【００２９】
中央枠構造材３８はさらに、外部枠構造材３６および内部枠構造材４０を密着式に固定するための部品を持つ。本実施例では、外部枠構造材を固定するための部品は、鳩尾形の実（さね）４８として形成される。この実４８は、これに対応する、外部枠構造材３６の鳩尾形の溝にはまり込むものである。
【００３０】
中央枠構造材３８において内部枠構造材４０を密着式に固定するための部品は、掛止め部分として形成される。この掛止め部分は、二本の構造帯材５０，５２によって形成される。内部枠構造材４０は、それぞれ掛止め部分５３（図４内にのみ部材番号を付す）を持つ。掛止め部分５３は、中央枠構造材３８の掛止め部分に対して、少なくとも部分的に相補的なものである。
【００３１】
外部枠構造材３６は、好ましくはアルミニウムから製造される。この外部枠構造材３６は、遮光性と耐候性を持つと同時に、極めて高い美的要求を満たすものである。ただしアルミニウムの熱伝導率は、依然として非常に高いものである。これは、本発明で問題とする種類の枠付き平面部品のための、公知の多くの枠において、悪影響を及ぼすものであった。これは外部枠構造材が、規定通りの取付け状態において、支柱構造材に向けて、部分的に大きく内側へ張り出すためであった。これに対して本発明の枠では、外部枠構造材が比較的小さく保たれ、実質的には外向きの化粧張りを形成するだけで、内側に向けて（支柱構造材に向けて）大きく張り出さない形で延びる。
【００３２】
中央枠構造材はプラスチックによって、つまり非常に熱伝導率の低い材料から製造される。中央枠構造材は特に、グラスファイバ補強される硬質ポリ塩化ビニル（PVC）から製造されるため、非常に高い絶縁作用を有する利点を持つ。この利点は、上述の中空室４６が中央枠構造材の全長に渡って延びることにより、さらに強化される。この中空室４６は、これにより三つの機能を果たす。つまり、中央枠構造材３８の絶縁作用を高める上に、枠構造材３８の強度を大きく損なうことなく、製造時の材料節約に寄与し、さらには既述のコーナ部材を収容するために働くのである。材料の節約は、製品コストの削減だけでなく、とりわけ中央枠構造材３８の軽量化を達成する。これは、本発明の建築部材システムを大面積的に装入する際に、特に重要な効果となる。
【００３３】
内部枠構造材もプラスチックによって、特にグラスファイバ補強される硬質PVCから製造される。このため外部、中央、内部それぞれの枠構造材によって形成される枠の、外から中および中から外に向けての熱伝導率は、非常に低いものとなる。
【００３４】
枠付き平面部品２０，２２は、それぞれ数個の保持部品５４によって、保持構造材１６に固定される。このために保持構造材１６は、規則的に間隔をあけて配置される収容開口部５６を持つ。
【００３５】
保持部品５４は、独立した鉤として形成される。この鉤は現場で組み立てる際に、枠付き平面部品内に設けられる、対応する収容開口部に装入できる。図示されている実施例では、中央枠構造材３８が、鉤５４を収容するために形成される。独立した鉤を備えるこの形成方法により、枠付き平面部品の周囲に枠を巡らせるために、それぞれ同一の内部、中央、外部枠構造材を使用できる、という大きな利点が得られる。これに対し例えばWO02/057559A1によって公知の枠では、異なる種類の構造物、つまり鉤を備えるものと、鉤を備えないものを使用する必要がある。これに加えて、独立した鉤を備える形態は、枠付き平面部品の輸送時に鉤が張り出さない、という利点もある。これにより枠付き平面部品は、平滑な支持面をそれぞれ二つ有し、問題なく輸送できることとなる。
【００３６】
この鉤５４は、好ましくは特殊鋼から製造され、それぞれ一つの収容部５８を有する。この収容部５８は、枠付き平面部品の一部を収容するために働くものである。図示される実施例ではつまり、中央枠構造材３８の一部を収容するために働くのである。鉤５４はさらに、固定部分６０を有する。固定部品６０は、保持構造材に鉤を掛けるために働くものである。この際に固定部分６０は、斜面６２を持つ。この斜面６２の働きにより負荷がかかると、鉤と鉤によって掛けられる枠付き平面部品が、保持構造材１６に向けて引張られる。
【００３７】
懸架による負荷を分散させるために、負荷分散止め具６４が備えられる。負荷分散止め具６４は、好ましくはアルミニウムから製造される。この種の負荷分散止め具は、建築部材システムを取付ける際に、保持構造材１６の収容開口部５６に押し込まれる。この内の収容開口部５６には、後に鉤５４が掛けられることとなる。
【００３８】
図３では詳しく図示されない支柱構造材１０に保持構造材１６を固定するねじ１８によって、負荷分散止め具６４も貫かれることは、図３に示すとおりである。つまり、鉤５４によって掛けられる平面部品から及ぼされる負荷は、保持構造材１６の開口部５６の、鉤側の縁に作用するだけでなく、負荷分散止め具６４を介して分散し、ねじ１８と支柱構造材１０にも作用するのである。
【００３９】
枠付き平面部品を保持構造材に懸架するための、本発明で記述される種類の方法は、WO02/057559A1によって公知のシステムと比較して、利点を有する。つまり本発明ではガスケット１４が損傷されないのである。これに対して前述件によって公知のシステムでは、ガスケットを貫く形でボルトが差し込まれたり、打ち込まれてしまい、このボルトに枠付き平面部品が懸架されるのである。
【００４０】
本発明の建築部材システムのさらなる利点は、通常アルミニウムから製造される保持構造材を、図１で示す通りに、木材等の伝統的な材料からなる支柱構造材と、問題なく組み合わせられる点にある。このために支柱構造材は、単純な収容経路１２を一つだけ備える。木材とアルミニウムの組合せは、美的に魅力ある構造物を実現する。しかし本発明の保持構造材１６は、押出成形されるアルミニウム製の支柱構造材と使用することもできる。これは図４において、支柱構造材７０として示される。
【実施例２】
【００４１】
図４に示される支柱構造材７０は、押出成形されるアルミニウム製の中空室構造材である。この支柱構造材７０は基本的に、四つの構造帯材７２，７４，７６，７８によって形成される。この場合に、構造帯材７２，７８同士は相互に対して平行に延び、構造帯材７４，７６同士も平行に延びる。構造帯材７６は、構造帯材７２，７８の端部領域に配置され、また構造帯材７２，７８に対して直角をなして延びる。構造帯材７４も、構造帯材７２，７８に対して直角をなす形で延びるが、構造帯材７２，７８のほぼ中央に配置される。これにより、一方においては断面が長方形の中空室８０が形成されるが、他方においては断面がU字型の収容部８２が形成されるのである。
【００４２】
図４を理解し易くするために、図２と図３で示された建築部材が、再び図５および図６においても示される。再度示されるのはつまり、保持構造材１６、保持構造材を固定するためのねじ１８、負荷分散止め具６４、鉤５４として形成される保持部品である。
【００４３】
支柱構造材７０の、断面がU字型の収容部８２は、保持構造材１６を収容するために働くと同時に、中間構造材８４を収容するためにも働く。この中間構造材８４も、断面が基本的にU字型となる収容部を持つ。この収容部の中に、保持構造材１６が収容される。この場合に収容部には、ガスケット８６が封入される。ガスケット８６は、図１で示されるガスケットに相当するが、二つの固定部分８８，９０を有する。これらの固定部分８８，９０により、ガスケット８６は、中間構造材８４に形成される鳩尾形の溝の中で固定される。
【００４４】
本実施例においては、この中間構造材８４も、いわゆる中空室構造材として形成され、中空室９２を持つ。この中空室９２の中には、中実の保持部分９４が配置される。中実の保持部分９４には、取付け時に、保持構造材１６と負荷分散止め具６４を固定するためのねじ１８が、ねじ込まれる。勿論この種の、中間構造材の全長に渡って延びる中実の保持部分（これは中間構造材の補強にも貢献する）を使用する代わりに、ねじ１８がねじ込まれることとなる箇所にだけ、適切な合わせ部品を備えることも可能である。適切な合わせ部品とは、中実なねじ収容部であったり、あるいはあらかじめ穿孔をあけたり、ねじ穴を備えたりするねじ収容部である。中間構造材が保持構造材１６と同様に、熱伝導率の低い材料、特に硬質PVCから構成されると、有利となる。
【００４５】
支柱構造材７０だけでなく、中間構造材８４も、それぞれ短い構造帯材を数個持つ。これらの構造帯材の内、ここではいくつかについてのみ述べる。支柱構造材７０に備えられる短い構造帯材９６，９８は、支柱構造材をさらに補強するために働くが、同時に装飾レール１００用の収容部も形成する。構造帯材７２；７８に形成される構造帯材１０２，１０４は、中間構造材８４に形成される二本の溝のための、保持つめを形成する。
【００４６】
図４から６で示される残りの部材は、既に図１から３との関連で上述している。このため、この限りにおいては上の記述を指摘するにとどめたい。
【００４７】
図４で十分に認識できる通り、本発明の建築部材の形態により、取付け状態においては多数の中空室が形成される。これらの中空室はそれぞれ、熱的な絶縁作用を有するものである。この場合に中空室同士は部分的に、自身を形成する構造帯材によってだけではなく、追加的にガスケット８６によっても、相互から分離される。
【実施例３】
【００４８】
表現上から言えば、図２２は図４および図１に対応する。この場合に図２２は、支柱構造材７０’、中間構造材８４’、ガスケット４２’、内部枠構造材４０’、中央枠構造材３８’、外部枠構造材３６’といった実施変種を示すものである。しかしながら図２２の建築部材は、根本的な構造と機能において、図４で示される建築部材に対応する。このため以下では、差異についてのみ短く取り上げ、その他のものについては図４の記述を指摘するにとどめる。この場合に、共通点を明確にするために、同一の作用は持つが構造的にはやや変化した部材については、図４あるいは図１においても使用される部材番号に、それぞれ補足的にアポストロフィをつけた部材番号を付与してある。
【００４９】
本実施例において、中間構造材８４’は、中空室構造材としては形成されない。このために保持部分９４’は、中間構造材を一つの構造帯材において支持するため、つまり支柱構造材７０’の中央の構造帯材７４’で中間構造材を支持するためにも働く。この場合に、支柱構造材７０’の室内側の端部は、装飾レール１００’によって閉鎖される。
【００５０】
枠付き平面部品２０’および２２’は、本実施例においても、内部枠構造材４０’、中央枠構造材３８’、外部枠構造材３６’によって周囲を囲まれる。しかしながらこの場合に、コーナ部材を収容するための中空室４６’は、ここでは中央枠構造材ではなく、外部枠構造材３６’の中に備えられる。
【００５１】
連結部の強度を上昇させるために、本実施例においては、中央枠構造材と外部枠構造材はそれぞれ、二つの鳩尾形の実（さね）４８’か、これに対応する鳩尾形の溝を持つ。
【００５２】
本実施例においては、内部枠構造材４０’も、図４で示される実施例からはやや変化させられる。つまり枠構造材４０’が掛止め部分５３’を一つ持つものの、図１や図４で見られるような、この掛止め部分５３’に対して平行な部分は持たないのである。この内の掛止め部分５３’は、中央枠構造材３８’の掛止め部分に対して、少なくとも部分的に相補的なものである。図１あるいは図４で示される実施例においては、内部枠構造４０の掛止め部分５３と、これに対して平行な掛止め部分５３の間で、中央枠構造材の構造帯材５０が収容される。
【００５３】
規定通りの取付け状態において、枠付き平面部品２０’，２２’同士の間に備えられるガスケット４２’は、本実施例において、断面が中空円筒形の端部部分を持つ。この端部部分は、中央枠構造材から外部枠構造材に至る移行領域に沿って延びるものである。
【実施例４】
【００５４】
図７では、その全体が部材番号１１０で表示される、横木構造材が示される。横木構造材には、二つの枠付き平面部品２０，２２が接する。枠付き平面部品２０，２２の部材については、上で既に、図１との関連で詳述してある。
【００５５】
横木構造材１１０は、二本の支柱構造材を横方向に連結するために、希望する箇所に、つまり支柱構造材の基礎側の端部領域に装入できる。これにより横木構造材１１０は、建築部材システムを規定通りに取り付けた状態で、垂直方向に直立する二本の支柱構造材の間において、基本的に水平方向に延びる。様々な補強部分１１２の他に、横木構造材１１０はとりわけ、二つの保持部分１１４を持つ。これらの保持部分１１４は、外側の構造帯材１１６のそれぞれと共に、鳩尾形の溝を形成する。この溝には、対応する保持部分を備えるガスケット１１８が挿入されたり、押し込められる。補強部分１１２は同時に、装飾レール１２０用の収容部も形成する。
【００５６】
横木構造材１１０の独自性は、ここでは詳しく表されていないボルトのための、縦長のガイド１２２にある。このガイド１２２は、片側にスリットを備える管として形成される。この種のボルトは、適切な工具によりガイド１２２に沿って変位させられる形で、ガイド１２２内で保持される。この内の適切な工具とは、刃厚の薄いマイナスドライバ等である。この種のボルトは、二本の支柱構造材の間で、横木構造材１１０を固定するために働く。これらの支柱構造材は、ボルトのために、適切な収容開口部を持つものである。横木構造材１１０が二本の支柱構造材の間で心出しされると、あらかじめガイド１２２に差し込まれるボルトが、隣に位置する支柱構造材の、対応する収容開口部に差し込まれる。この収容開口部においてボルトは締め付けられ、これにより横木構造材１１０は確実に保持される。次いで、ガイド１２２は装飾レール１２０によって覆われる。
【実施例５】
【００５７】
図８から１２においては、多部材からなる土台の様々な部材が示される。この場合に図８においては追加的に、中空支柱構造材１３０、保持構造材１３２、枠付き平面部品２０，２２が示される。この内の枠付き平面部品２０，２２は、適切な保持部品５４によって、保持構造材に固定される。支柱構造材１３０の下部領域に示されるT字型のクリアランス１３４は、WO02/057559A1で記述されるように、連結部品を掛けるために働く。しかしながらこの種の公知の連結部品は、本申請の対象ではないため、ここでこれ以上深く立ち入ることはしない。
【００５８】
支柱構造材１３０は、支柱接続部品１３６によって、スタンドレール１３８上で固定される。この際に支柱接続部品１３６は、その都度使用される支柱構造材に対して少なくとも部分的に相補的な面と、スタンドレール１３８に対して少なくとも部分的に相補的な面を有する。
【００５９】
長く延びるスタンドレール１３８は通常、複数本の支柱構造材を越えて延びる。このスタンドレール１３８は、その都度使用される枠付き平面部品の幅の、数倍に相当する長さを有する。スタンドレールは、全体が部材番号１４４で表示される連結部品の、プレート１４２を収容するために、鳩尾形の溝１４０を持つ。この際に連結部品１４４は、先のプレート１４２と、ねじ１４６によって構成される。ねじ１４６は、プレートを貫く形でねじ留めされる。ねじ１４６の頭は、規定通りに取り付けた状態において、底部部品１４８の鳩尾形の溝の中でガイドされる。
【００６０】
底部部品１４８は、二つの縦穴１５０，１５２を持つ。これらの縦穴１５０，１５２を通じて、二本のねじが直接基礎にねじ込まれる。この場合にこれらの縦穴は、底部部品をある程度心出しさせられるものである。この際に、後に支柱構造材が配置される位置において、底部部品がそれぞれ基礎に固定される。
【００６１】
底部部品１４８、連結部品１４４、スタンドレール１３８の三点を差し込み合わせると、ねじ１４６を回転させることにより、スタンドレール１３８を高さ調整し、基礎が平坦でなくても、多少であればそれを補正できる。このためにねじ１４６は、スタンドレール１３８内の開口部１５４を抜けて突出する端部に、工具用の収容部１５６を持つ。この内の工具は、マイナスドライバやプラスドライバ、あるいは図示される実施例に見られるような、六角レンチ等である。
【００６２】
スタンドレール１３８は、二つのアルミニウム構造材１５８，１６０によって構成される。これらのアルミニウム構造材１５８，１６０は、二本のプラスチック製ウェブ１６２，１６４を介して相互に連結されるが、同時に熱的には相互から分離される。構造材１６０は、鳩尾形の溝を持つ。この溝には、被覆遮蔽具１６６が挿入されるか、あるいは押し込まれる。構造材１５８，１６０は共に、さらに鳩尾形の溝１６８，１７０を持つ。これらの溝１６８，１７０は、保持部分を収容するために、適切に形成されるガスケット１７２，１７４を持つ。
【００６３】
図８および図９では、ストッパ部品１７８も示される。ストッパ部品１７８は、保持構造材１３２と多部材からなる土台の間で、望ましい間隔を設定するために働く。保持構造材は、現場での取付けを容易にするために、既に、その都度使用される枠付き平面部品の長さに適合させられているため、これ以上保持構造材を現場で切断する必要がない。保持構造材の長さはつまり、使用される枠付き平面部品の長さを数倍したものに、二枚の枠付き平面部品の間隔を加えたものに相当するのである。より高い構造物においては、複数の保持構造材を上下につなげて据える。この際にそれぞれの保持構造材を、このために特別に切断する必要はない。通常基礎領域には、一番下の平面部品の下縁と基礎の間に、より大きな間隔をとりたいものであるが、このためにストッパ部品１７８が働く。ストッパ部品の形状は、その都度使用される支柱構造材に適合させられ、またその都度使用される支柱構造材の、U字型収容部に挿入される。
【実施例６】
【００６４】
図１３と図１４では、全体が部材番号２０で表示される、枠付き平面部品が示される。枠付き平面部品は、本実施例において、二枚の板ガラス２６，３０を含む。これらの板ガラス２６，３０は、相互に対して平行に配置され、適切なスペーサ３４によって相互から間隔をあけて配置される。
【００６５】
板ガラス２６，３０は、枠構造材によって形成される枠により、周囲を囲まれる。この場合に、異なる三種類の構造材が使用される。つまり外部枠構造材３６、中央枠構造材３８、内部枠構造材４０の三種類である。図１４の分解図において、外部枠構造材３６は既に、中央枠構造材３８とそれぞれ連結される。これは、図１との関連において詳述した通りである。枠を形成するために、中央枠構造材３８に設けられる収容部４６には、金属製のコーナ部材１８０が差し込まれる。このコーナ部材は、二本の腕木１８２，１８４によって構成される。これらの腕木１８２，１８４には溝が付けられる。つまり腕木１８２，１８４は、浮彫状の特徴を持つ表面を備えるものである。枠付けの完成した部品は、鉤５４によって、対応する保持構造材に掛けられる。
【００６６】
上述の、中央枠構造材はプラスチックによって、特に好ましくはグラスファイバ補強される硬質PVCから製造されるため、この枠構造材と金属製のコーナ部材１８０との持続的な連結は容易ではなく、従来の溶接方式は持続的な連結を達成するのに適さない。このため本発明では、まず外部枠構造材３６が、中央枠構造材３８と共に「ローラにかけられる」。つまり、中央枠構造材３８の鳩尾形の実（さね）４８が、これに対して少なくとも部分的に相補的な、外部枠構造材の鳩尾形の溝に押し込まれるのである。その後、コーナ部材１８０の腕木は、それぞれ中央枠構造材３６の収容部４６に差し込まれる。その後、中央枠構造材の、少なくともコーナ部材が差し込まれた領域が加熱され、これによりプラスチックが軟化する。その後、コーナ部材が差し込まれた領域内で中央枠構造材に圧力がかけられ、プラスチックの形状が、コーナ部材の腕木の浮彫状の構造に適合させられる。冷却され、中央枠構造材のプラスチックが硬化すると、中央枠構造材とコーナ部材の間に、密着式の連結部が産出される。このように形成された枠の中に平面部品が封入され、これに枠が付けられる。最終的にはその後、内部枠構造材が、中央枠構造材と掛止めされる。
【実施例７】
【００６７】
ここでは、図１５から２１に関して、二つの中空室構造材２００，２０２；２０２’が、連結部品２０４あるいは２０４’によって、相互に対して直角に連結される様子が記述される。これらの中空室構造材２００，２０２；２０２’は、図４あるいは図２２で示される支柱構造材７０；７０’であってもよい。（この際に、アポストロフィ付きの部材番号は、図１８から２１に関するものである。）
【００６８】
中空室構造材２０２（図１５の部材番号による）、あるいは中空室構造材２０２’（図２１の部材番号による）は、二つの外側の構造帯材２０６；２０６’，２０８；２０８’と、中央の構造帯材２１０；２１０’、さらに奥側の構造帯材２１２；２１２’を含む。（奥側の構造帯材２１２；２１２’とは、規定通りの取り付け状態において、室内側に向くものである。）これらの構造帯材は、相互の間に、中空室２１４；２１４’を形成する。中央と奥側の構造帯材には、開口部２１６があけられる。
【００６９】
中空室構造材２００も同様に、二つの外側の構造帯材２１８，２２０、中央の構造帯材２２２、奥側の（規定通りの取付け状態において、室内側に向く）構造帯材２２４を含む。これらの構造帯材は、相互の間に、中空室を形成する。外側の構造帯材２１８の内、少なくとも一つには開口部２２６が設けられる。
【００７０】
連結部品２０４；２０４’は、二部材によって構成され、基礎部品とスライド式のロック部品２４０；２４０’を含む。前者の基礎部品は、構造帯材２２８，２３０，２３２，２３４，２３６，２３８；２３８’によって形成される。この場合に構造帯材２３０，２３２，２３６の三点は、相互の間に、ロック部品２４０；２４０’用の収容部を形成する。この収容部の中では、二つの掛止め張出部２４２，２４４が、ロック部品２４０；２４０’のための、二つの位置を規定する。ここで言う二つの位置とはつまり、起点位置とロック位置である。図１８内で示される状況において、ロック部品２４０’は起点位置にあり、図１６で示される状況において、ロック部品２４０は、ロック位置にある。
【００７１】
構造帯材２３４，２３６，２３８；２３８’は、相互の間に引掛け部分を形成する。引掛け部分は、中空室構造材２００内の開口部２２６に、連結部品を掛けるために働く。
【００７２】
この種の連結部品によって、二つの中空室構造材を連結するために、まず中空室構造材２００内の開口部２２６に、連結部品２０４；２０４’が掛けられる。その後マイナスドライバ等によって、ロック部品２４０；２４０’が、起点位置からロック位置にスライドさせられる。ロック位置において、ロック部品２４０；２４０’は、開口部２２６内に残るフリースペースを遮断する。これにより、連結部品が外れなくなる。この際に、ロック部品の前面縁２４１；２４１’を斜めに切っておくと、開口部２２６内へのロック部品の引掛けが容易となる。
【００７３】
その後、連結部品２０４；２０４’の基礎部品が、相互に連結される中空室構造材２０２；２０２’の、相手側の中空室２１４；２１４’に挿入される。そのために、基礎部品が連結部品の挿入部分を形成する、といえる。この場合の挿入は、引掛け部分が中空室２１４；２１４’から外へ張り出すことによって、達成される。
【００７４】
この中空室２１４；２１４’の中で、連結部品２０４；２０４’は偏心ボルト２４２；２４２’によって固定される。このためには、少なくとも二枚の偏心板２４４を持つ偏心ボルト２４２；２４２’を、中空室構造材と基礎部品を貫く形で差し込み、その縦軸を中心として回転させる。これにより各偏心板２４４が、開口部２１６内において、図１６および図１８の破線で示される通りに、中空室構造材２０２；２０２’の中で締め付けられる。また、これによって同時に、中空室構造材２０２；２０２’が相手側の中空室構造材２００の方向に向けて、引っ張られるのである。
【００７５】
本発明の考察の枠内では、多数の変更と発展形が可能である。それは例えば、個々の構造材および構造帯材の形態に関するものである。このため例えば横木構造材において、円形断面を有する、図示したボルトガイドの代わりに、多角形断面を備えるボルトガイドを備えること等が可能である。コーナ部材としては、図示した浮彫状の構造の代わりに、腕木に複数の穿孔を設けることもできる。この場合でも、中央枠構造材とコーナ部材を、加熱と加圧によって、密着的に連結することが可能である。これらの、またその他の変更は、本発明考察の枠を離れるものではない。
【産業上の利用可能性】
【００７６】
本建築部材システムとその建築部材の、産業上の利用可能性は明らかにある。ちなみにこの際に指摘しておきたいのは、本発明が新たな業務上の方法を含意していること、つまりカーテンウォール式ファサード、ファサード上張、採光屋根、冬園、防音壁、見本市建造物、簡易車庫、あるいはこれに類する建造物を迅速に、かつ低いコストによって建造方法を含意していることである。ここに明文をもって、本方法を発明に相応しいものとして表し、国内法がこれを許可する諸国内において保護されるべく出願する。
【図面の簡単な説明】
【００７７】
【図１】本発明のシステムの様々な建築部材を示す断面図である。特に規定通りの取付け状態において垂直方向に延び、この実施例では中実である支柱構造材に、保持構造材を装入し、これに枠付き平面部品を固定したものの断面図が示される。この内の平面部品は、二重板ガラスの形で形成されるが、部分的にのみ図示されるものである。
【図２】保持構造材の一部を示す斜視図である。
【図３】図２の保持構造材の断面図を、より図式的に示す説明図である。この保持構造材は、ここでは詳しく示されない枠付き平面部品を保持するための引掛け式の保持部品と、負荷分散止め具を装入した状態で表されている。
【図４】図１と同等の断面図を示す説明図である。しかしここでは、支柱構造材は中実ではなく、中空室構造材によって形成される。この場合、支柱構造材と保持構造材の間に、追加的な中間構造材が備えられる。
【図５】図４を理解し易くするために、図２の保持構造材を示す説明図である。
【図６】図４を理解し易くするために、図３の負荷分散止め具、保持部品と並んで保持構造材を示す説明図である。
【図７】規定通りの取付け状態において、通常水平方向に延びる横木を示す断面図である。この内の横木は、自身に接する二つの枠付き部品と共に示される。
【図８】とりわけ、多部材からなる土台レール上に直立する支柱構造材を示す断面図である。この内の支柱構造材には保持構造材が備えられ、これに懸架される形で枠付き平面部品と、ストッパ部品が接続される。
【図９】図８のストッパ部品を示す俯瞰図である。
【図１０】図８の多部材からなる土台レールの、スタンドレールの一部を示す説明図である。
【図１１】図１０のスタンドレールを、図１２の底部部品と連結するための、連結部品を示す説明図である。
【図１２】図１０のスタンドレールを基礎において固定するための、底部部品を示す説明図である。
【図１３】枠付きの平面部品を示す斜視図である。
【図１４】図１３の枠付き平面部品を示す分解図である。
【図１５】二つの中空室構造材と、両者を連結するための連結部品を示す斜視図である。
【図１６】図１５の連結部品を示す側面図である。
【図１７】図１５の連結部品によって相互に連結される中空室構造材の中で、連結部品を固定するための偏心ボルトを示す説明図である。
【図１８】二つの中空室構造材を連結するための連結部品の、実施変種を示す側面図である。
【図１９】図１５あるいは図１８の連結部品を、相互に連結される中空室構造材内で固定するための偏心ボルトの、実施変種を示す俯瞰図である。
【図２０】図１７あるいは図１９の偏心ボルトの、偏心板を示す説明図である。
【図２１】中空室構造材に規定通りに組み込んだ状態の、図１９の偏心ボルトを示す説明図である。ただし、連結部品を除くものである。
【図２２】図４と同等の断面図を示す説明図である。ここでは、支柱構造材、中間構造材、ガスケット、内部枠構造材、中央枠構造材、外部枠構造材の、別の実施形態を備えるものが示される。
【符号の説明】
【００７８】
１０支柱構造材
１２支柱構造内の収容経路
１４ガスケット
１６保持構造材
１８ねじ
２０，２０’枠付き平面部品
２２，２２’枠付き平面部品
２４シールリップ
２６外側の板ガラス
２８外側の板ガラス
３０内側の板ガラス
３２内側の板ガラス
３４スペーサ
３６，３６’外部枠構造材
３８，３８’中央枠構造材
４０，４０’内部枠構造材
４２，４２’ガスケット
４４鳩尾形の溝
４６，４６’中空室
４８，４８’鳩尾形の実（さね）
５０構造帯材
５２構造帯材
５３掛止め部分
５４保持部品（ここでは鉤の形で形成される）
５６収容開口部
５８収容部
６０固定部分
６２斜面
６４負荷分散止め具
７０，７０’支柱構造材
７２構造帯材
７４，７４’ 構造帯材
７６構造帯材
７８構造帯材
８０中空室
８２U字型の収容部
８４，８４’中間構造材
８６ガスケット
８８固定部分
９０固定部分
９２中空室
９４，９４’保持部分
９６構造帯材
９８構造帯材
１００，１００’装飾レール
１０２構造帯材
１０４構造帯材
１１０横木構造材
１１２補強部分
１１４保持部分
１１６構造帯材
１１８ガスケット
１２０装飾レール
１２２ガイド
１３０支柱構造材
１３２保持構造材
１３４クリアランス
１３６支柱接続部品
１３８スタンドレール
１４０鳩尾形の溝
１４２プレート
１４４連結部品
１４６ねじ
１４８底部部品
１５０縦穴
１５２縦穴
１５４開口部
１５６工具用の収容部
１５８構造材
１６０構造材
１６２プラスチック製ウェブ
１６４プラスチック製ウェブ
１６６被覆遮蔽具
１６８鳩尾形の溝
１７０鳩尾形の溝
１７２ガスケット
１７４ガスケット
１７８ストッパ部品
１８０コーナ部材
１８２腕木
１８４腕木
２００中空室構造材
２０２，２０２’中空室構造材
２０４，２０４’連結部品
２０６，２０６’ 構造帯材
２０８，２０８’ 構造帯材
２１０，２１０’ 構造帯材
２１２，２１２’ 構造帯材
２１４，２１４’中空室
２１６開口部
２１８構造帯材
２２０構造帯材
２２２構造帯材
２２４構造帯材
２２６開口部
２２８構造帯材
２３０構造帯材
２３２構造帯材
２３４構造帯材
２３６構造帯材
２３８，２３８’ 構造帯材
２４０，２４０’ロック部品
２４１，２４１’斜めに切られる前面縁
２４２偏心ボルト
２４４偏心板
【図１】
2007517148.tif 000003
【図２】
2007517148.tif 000004
【図３】
2007517148.tif 000005
【図４】
2007517148.tif 000006
【図５】
2007517148.tif 000007
【図６】
2007517148.tif 000008
【図７】
2007517148.tif 000009
【図８】
2007517148.tif 000010
【図９】
2007517148.tif 000011
【図１０】
2007517148.tif 000012
【図１１】
2007517148.tif 000013
【図１２】
2007517148.tif 000014
【図１３】
2007517148.tif 000015
【図１４】
2007517148.tif 000016
【図１５】
2007517148.tif 000017
【図１６】
2007517148.tif 000018
【図１７】
2007517148.tif 000019
【図１８】
2007517148.tif 000020
【図１９】
2007517148.tif 000021
【図２０】
2007517148.tif 000022
【図２１】
2007517148.tif 000023
【図２２】
2007517148.tif 000024
【国際調査報告】
2007517148.tif 000025
2007517148.tif 000026
2007517148.tif 000027
2007517148.tif 000028
2007517148.tif 000029
2007517148.tif 000030
2007517148.tif 000031
2007517148.tif 000032